【事件の表示】
　特願２００６−２９８３８３「光学シート及び表示装置」拒絶査定不服審判事件〔平成２０年　５月２２日出願公開、特開２００８−１１６５９２〕について、次のとおり審決する。
【結　論】
　本件審判の請求は、成り立たない。
【理　由】
第１　手続の経緯
　本願は、平成１８年１１月２日の出願であって、平成２３年９月２０日及び平成２４年２月２日付けで手続補正がなされ、同年４月２６日付けで拒絶査定がなされ、これに対して、同年７月１７日付けで拒絶査定不服審判が請求されると同時に手続補正がなされたものである。
　なお、請求人は、当審における平成２４年９月１０日付けの審尋に対して同年１１月１２日付けで回答書を提出している。
　
第２　平成２４年７月１７日付け手続補正についての補正却下の決定
〔補正却下の決定の結論〕
　平成２４年７月１７日付け手続補正を却下する。
　
〔理由〕
１　本件補正の内容
（１）平成２４年７月１７日付け手続補正（以下「本件補正」という。）は、特許請求の範囲及び発明の詳細な説明についてするものであって、本件補正前の請求項１に、
「
映像光源
映像光源
映像光源
とを
　前記光学シートは、
　光を透過可能に形成されたプリズム部、及び光を吸収可能に形成された光吸収部がシート面に沿って交互に並列される光学機能シート層を備え、
　前記光学機能シート層の前記プリズム部は、シート厚方向断面において前記
映像光源
映像光源
　前記光学機能シート層より前記観察者側に配置される少なくとも１つの層
が光
、
　前記
映像光源
　
「
プラズマディスプレイパネル
プラズマディスプレイパネル
プラズマディスプレイパネル
と、を
　前記光学シートは、
　光を透過可能に形成されたプリズム部、及び光を吸収可能に形成された光吸収部がシート面に沿って交互に並列される光学機能シート層を備え、
　前記光学機能シート層の前記プリズム部は、シート厚方向断面において前記
プラズマディスプレイパネル
プラズマディスプレイパネル
　前記光学機能シート層より前記観察者側に配置される少なくとも１つの層
が、該１つの層に内包される光拡散剤を含有することにより光
、
　
前記光学シートのヘーズ値は２０％以上、５８％以下であり、
　前記
プラズマディスプレイパネル
　
（２）本件補正後の請求項１に係る上記（１）の補正は、本件補正前の請求項１に係る発明を特定するために必要な事項である「映像光源」及び「光学シート」を、それぞれ、「プラズマディスプレイパネル」及び「ヘーズ値は２０％以上、５８％以下」であると限定するものである。
　
２　本件補正の目的
　本件補正後の請求項１に係る本件補正は、上記１（２）のとおり、本件補正前の請求項１に係る発明を特定するために必要な事項を限定するものであるから、平成１８年法律第５５号改正附則第３条第１項によりなお従前の例によるとされる同法による改正前の特許法第１７条の２第４項第２号に掲げる特許請求の範囲の減縮を目的とするものである。
　そこで、本件補正後の請求項１に係る発明（以下「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下検討する。
　
３　引用例
　原査定の拒絶の理由に引用された「本願の出願前に頒布された刊行物である特開２００６−１８９８６７号公報（以下「引用例」という。）」には、次の事項が図とともに記載されている。
（１）「【技術分野】
【０００１】
  本発明は、ディスプレイ装置用フィルター及びこれを含んだディスプレイ装置に係り、より詳しくは、
楔形ブラックストライプが備えられた外光遮蔽部を用いて可視光線の透過率及び明室でのコントラストが向上できるディスプレイ装置用フィルター
を含んだディスプレイ装置
【背景技術】
【０００２】
  現代社会が高度に情報化されることによってイメージデイスプレー関連部品及び機器が顕著に進歩して普及されている。その中で、画像を表示するディスプレイ装置は、テレビジョン装置用、パーソナルコンピューターのモニター装置用などとして顕著に普及しており、またこのようなディスプレイの大型化と同時に薄型化が進行されている。
【０００３】
  一般に、ＰＤＰ装置は、既存のディスプレイ装置を代表するＣＲＴに比べて大型化及び薄型化を同時に満足できて次世代ディスプレイ装置として脚光を浴びている。こうしたＰＤＰ装置は、ガス放電現象を用いて画像を表示することであって、表示容量、輝度、コントラスト、残像、視野角などの各種表示能力に優れる。
【０００４】
  ＰＤＰ装置は、電極に印加される直流電圧又は交流電圧によって電極の間のガスで放電が発生し、ここで随伴される紫外線の放射によって蛍光体を励起させて発光する。
【０００５】
  しかしながら、ＰＤＰ装置は、その駆動特性上電磁波及び近赤外線の放出量が多く、蛍光体の表面反射が高いだけではなく、ネオン(Ｎｅ)、封入ガスのヘリウム（Ｈｅ）やキセノン（Ｘｅ）から放出されるオレンジ光によって色純度が陰極線管に及ぶことができない短所がある。
【０００６】
  従って、ＰＤＰ装置から発生される電磁波及び近赤外線によって人体に有害な影響を及ぼし、無線電話機やリモコンなどの精密機器の誤動作を誘発することもある。こうした
ＰＤＰ装置
電磁波及び近赤外線を遮蔽すると同時に反射光を減少させ、色純度を向上させるため電磁波遮蔽、近赤外線遮蔽、光表面反射防止、色純度改善などの機能を有するＰＤＰフィルターを採用している
【０００７】
  こうした
ＰＤＰ装置は、ガス放電現象が起こる放電セルを含むパネルアセンブリーと、電磁波及び近赤外線を遮蔽するＰＤＰフィルターと、から構成される
ＰＤＰフィルターは、パネルアセンブリーの前面部に装着されるので透明性も同時に満足しなければならない
【０００８】
  このような
従来技術によるＰＤＰ装置で、外部が明るい条件すなわち、明室条件では、外部環境光がＰＤＰフィルターを通過してパネルアセンブリー内に流入できる。こうした場合、パネルアセンブリー内の放電セルから発生された入射光と外部からＰＤＰフィルターを通過して流入された外部環境光の重畳が発生する。その結果、明室条件でコントラストが低下されてＰＤＰ装置の画面表示能力が劣悪になる
【発明の開示】
【発明が解決しようとする課題】
【０００９】
  本発明の
技術的課題は、ＰＤＰフィルターの構造を改善して輝度及び明室条件でのコントラストを向上させることができるディスプレイ装置用フィルターを提供する
【００１０】
  本発明の他の技術的課題は、こうした
ディスプレイ装置用フィルターを含むディスプレイ装置を提供する
【００１１】
  本発明の技術的課題は、以上で言及した技術的課題に制限されなく、言及されないさらに他の技術的課題は下記から当業者に明確に理解できることである。
【課題を解決するための手段】
【００１２】
  前述した技術的課題を達成するための本発明の一実施形態によるディスプレイ装置用フィルターは、
フィルターベースと、フィルターベースの一面に形成され、透明樹脂材質の基盤と基盤の一面に平行に配列された多数の楔形ブラックストライプを備える外光遮蔽層と、を含む
【００１３】
  前述した他の技術的課題を達成するための本発明の一実施形態によるディスプレイ装置は、 互いに対向配置されるように結合する透明な前面基板及び背面基板と、前面基板と背面基板との間に多数のセルを含むパネルアセンブリーと、パネルアセンブリーの前面基板と対向配置されたディスプレイ装置用フィルターと、を含む
【００１４】
  前述した他の技術的課題を達成するための本発明の他の実施形態によるディスプレイ装置は、互いに対向配置されるように結合する透明な前面基板及び背面基板と、前面基板と背面基板との間に多数のセルを含むパネルアセンブリーと、パネルアセンブリーの一面に形成され、透明樹脂材質の基盤と基盤の一面に平行に配列された多数の楔形ブラックストライプを備える外光遮蔽層と、外光遮蔽層と対向配置され、反射防止機能及び／又は電磁波、近赤外線又はこれらの組合を遮蔽する機能を有するディスプレイ装置用フィルターと、を含む。
【００１５】
  その他実施形態の具体的な事項は、詳細な説明及び図面に含まれている。
【発明の効果】
【００１６】
  前述したように本発明のディスプレイ装置用フィルター及びこれを含むディスプレイ装置によれば、次の通りの効果が一つ或いは二以上ある。
【００１７】
  第１の効果は、
ＰＤＰフィルターに楔形ブラックストライプを形成し、楔形ブラックストライプの傾斜面での全反射を用いて各放電セルから発生した可視光線を集束して射出させることによって光の透過率を高め、その結果ＰＤＰ装置の輝度を向上させる
【００１８】
  第２の効果は、ＰＤＰフィルターに楔形ブラックストライプを形成し、
楔形ブラックストライプを光吸収物質を使用して形成することによって、外部環境光がパネルアセンブリーの内部に流入されることを防止する明室条件でＰＤＰ装置の明暗対比比を向上させ
【発明を実施するための最良の形態】
【００１９】
  本発明の利点及び特徴、そしてそれらを達成する方法は添付する図面と共に詳細に後述している実施形態を参照すれば明確になる。しかしながら、本発明は、以下で開示される実施形態に限定されるものではなく、相異なる多様な形態で具現されるものであり、本実施形態は、本発明の開示が完全となり、当業者に発明の範疇を完全に知らせるために提供されるものであり、本発明は、特許請求の範囲の記載に基づいて決められなければならない。なお、明細書全体にかけて同一の符号は同一構成要素を示すものとする。
【００２０】
  本発明で使用されるディスプレイ装置は、格子パターンの画素（ｐｉｘｅｌ）を有し、ＲＧＢを実現するＰＤＰ（Ｐｌａｓｍａ  Ｄｉｓｐｌａｙ  Ｐａｎｅｌ）装置、ＯＬＥＤ（Ｏｒｇａｎｉｃ  Ｌｉｇｈｔ  Ｅｍｉｔｔｉｎｇ  Ｄｉｏｄｅ）装置、ＬＣＤ（Ｌｉｑｕｉｄ  Ｃｒｙｓｔａｌ  Ｄｉｓｐｌａｙ）装置又はＦＥＤ（Ｆｉｅｌｄ  Ｅｍｉｓｓｉｏｎ  Ｄｉｓｐｌａｙ）装置などの大型ディスプレイ装置と、ＰＤＡ（ＰｅｒｓｏｎａｌＤｉｇｉｔａｌ  Ａｓｓｉｓｔａｎｔｓ）、小型ゲーム機表示窓、携帯ホン表示窓などの小型モバイルディスプレイ装置、フレキシブルディスプレイ装置などに多様に適用できる。特に、外光が強い屋外用ディスプレイ装置及び公共施設の室内に設けられたディスプレイ装置に効果的に適用できる。以下、説明の便宜のためＰＤＰ装置及びこれに使用されるＰＤＰフィルターを用いて本発明を説明するが、本発明はこれに限定されなく、前述した多様なディスプレイ装置及びこれに使用されるディスプレイ装置用フィルターに適用できる。
【００２１】
  以下、本発明の実施形態を図１〜図７Ｂを参照して説明する。
【００２２】
  図１は、本発明の一実施形態に係るＰＤＰ装置を示す分解斜視図である。
  図１に示すように、ＰＤＰ装置１００は、ケース１１０と、ケース１１０の上部を覆うカバー１５０と、駆動回路基板１２０と、
ガス放電現象が起こる放電セルを含むパネルアセンブリー１３０と、ＰＤＰフィルター１４０と、を備える
【００２３】
  まず、電磁波、近赤外線、外部環境光などを遮蔽するＰＤＰフィルター１４０について説明し、その後、ＰＤＰフィルター１４０とパネルアセンブリー１３０とを備えるＰＤＰ装置１００について説明する。なお、ＰＤＰフィルターは、電磁波、近赤外線、外部環境光などを複数遮蔽するものであってもよく、また、電磁波、近赤外線、外部環境光などの反射を防止するものであってもよい。
【００２４】
  図２は、本発明の一実施形態に係るＰＤＰフィルターを示す断面図である。
  図２に示すように、
ＰＤＰフィルター２００は、フィルターベース２７０及び外光遮蔽層２３０を含む
【００２５】
  
フィルターベース２７０は、透明基板２１０、電磁波遮蔽層２２０及び反射防止層２５０が順序に関係なく積層されて形成され
【００２６】
  ＰＤＰフィルター２００は、フィルターベース２７０の一面に外光遮蔽層２３０を備えることができる。図２に示す
外光遮蔽層２３０は、フィルターベース２７０のパネルアセンブリー側の面、すなわちＰＤＰフィルター２００がＰＤＰ装置に装着されたときに視聴者側と反対側面に配置されて
【００２７】
  
外光遮蔽層２３０は、支持体２３２、支持体２３２の一面に形成された基盤（ｍａｔｒｉｘ）２３４及び基盤２３４内に形成されて外部からパネルアセンブリーへ流入される外部環境光を遮断する多数の楔形ブラックストライプ２３６を含む
【００２８】
  ここで、楔形ブラックストライプ２３６が形成された基盤２３４は、直接フィルターベース２７０に形成しても良いが、図２に示すように
支持体２３２に基盤２３４を形成した後、フィルターベース２７０と結合
【００２９】
  本発明の一実施形態において、
支持体２３２は
透明な樹脂フィルムが好ましい。支持体２３２の材質としては、例えば、ポリエチレンテレフタレート（ＰｏｌｙＥｔｈｙｌｅｎｅ  Ｔｅｒｅｐｈｔｈａｌａｔｅ；ＰＥＴ）、
が使用でき
勿論、支持体２３２の代わりにフィルターの固有機能を有した膜
を使用できる
【００３０】
  そして、
楔形ブラックストライプ２３６は、断面が楔形状であり、パネルアセンブリー（図示せず）に対向する基盤２３４の一面に並列に形成され
【００３１】
  基盤２３４は、紫外線硬化性樹脂で形成され、
楔形ブラックストライプ２３６は光を吸収できる黒色無機物、黒色有機物及び黒色金属のうち少なくとも１つから形成できる。また、基盤２３４は、透明樹脂材質からな
、すなわち電気抵抗が低いので、金属粉末を添加して楔形ブラックストライプ２３６を形成する場合、金属粉末の濃度による電気抵抗の調節が可能であるので、楔形ブラックストライプ２３６は、電磁波遮蔽機能をも有することとなる。ひいて表面が黒く処理された金属又は黒色の金属を使用する場合、外光遮蔽機能及び電磁波遮蔽機能を効率的に実現できる。また、楔形ブラックストライプ２３６としては、炭素を含む紫外線硬化性樹脂を使用できる。基盤２３４に楔形ブラックストライプ２３６を形成する方法は次の通りである。
【００３２】
  支持体２３２の一面に紫外線硬化性樹脂から構成された基盤２３４を塗布した後、楔形ブラックストライプ２３６と反対形状が表面に形成されているブラックストライプ成型用ロール（図示せず）の間にこの支持体２３２を通過させる。したがって、支持体２３２の一面に基盤２３４にブラックストライプ成型用ロールの形状が転写され、その後この基盤２３４に紫外線を照射して硬化させて最終的に楔形溝が形成された基盤２３４に成型される。そして、基盤２３４に形成された楔形溝に炭素を含む紫外線硬化性樹脂を供給した後、紫外線を照射して硬化させて楔形ブラックストライプ２３６を完成できる。
【００３３】
  本発明は、こうした楔形ブラックストライプ２３６の成型方法に限定されることではなく、熱可塑性樹脂を用いた熱プレス法や楔形ブラックストライプ２３６と反対形状が転写された基盤２３４内に熱可塑性又は熱硬化性樹脂を充填して成型する射出成型法などを用いることができる。また、基盤２３４を構成する紫外線硬化性樹脂が反射防止機能、電磁波遮蔽機能、色調節機能又はこれらを組み合わせた機能を有している場合、外光遮蔽層２３０は付加的にこうした機能を遂行しても良い。
【００３４】
  以下、図３〜図５を参照して、外光遮蔽層２３０を詳細に説明する。
【００３５】
  図３は、図２の外光遮蔽層を拡大した断面図である。図３に示すように、外光遮蔽層２３０は、支持体２３２、支持体２３２の一面に形成された基盤２３４及び基盤２３４の一面に平行に配列された多数の楔形ブラックストライプ２３６を含む。ここで、
楔形ブラックストライプ２３６は、基盤２３４の外部に露出された底面２３６ａと底面２３６ａから基盤２３４内に楔形溝を成す傾斜面２３６ｂとを含み、傾斜面２３６ｂは外部環境光３２０を吸収するか、或いはパネルアセンブリーからの入射光３１０を視聴者側に全反射する役割を果たす
【００３６】
  詳細に後述するが、図３に示す
楔形ブラックストライプ２３６の断面で底面２３６ａに比べて傾斜面２３６ｂが非常に長いので
ＰＤＰフィルター２００は
従来のＰＤＰフィルターに比べて可視光線についての高い透過率と高い明暗対比比（ｃｏｎｔｒａｓｔ  ｒａｔｉｏ）とを有することができ
【００３７】
  ひいて、楔形ブラックストライプ２３６の
底面２３６ａがパネルアセンブリー方向に向く場合、平均的に外部環境光３２０より入射光３１０の傾斜面２３６ｂについての入射角がさらに大きいので入射光３１０は、傾斜面２３６ｂで全反射されて透過率を高め、外部環境光３２０は傾斜面２３６ｂに吸収されて明暗対比比を高めるため、より向上した画面特性を有するＰＤＰ装置を得ることができ
【００３８】
  楔形ブラックストライプ２３６の傾斜面２３６ｂと底面２３６ａとを成す角度θは、８０°〜８９°の範囲内にあることが好ましい。楔形溝を成す両傾斜面２３６ｂは互いに対称的に同一に形成しても良く、８０°〜８９°の角度θの範囲内で互いに非対称的に形成しても良い。
【００３９】
  楔形ブラックストライプ２３６は、光を吸収する物質より成っているので、図３に示されたように、外部環境光３２０は外光遮蔽層２３０に垂直に入射されない以上殆ど大部分楔形ブラックストライプ２３６の傾斜面２３６ｂに吸収される。
【００４０】
  図４は、外光遮蔽層を構成する楔形ブラックストライプの変形実施形態を示した断面図である。図４に示すように、外光遮蔽層４３０の楔形ブラックストライプ４３６は、基盤２３４の外部に露出された底面２３６ａと底面２３６ａから基盤２３４内に楔形溝を成す傾斜面４３６ｂ、４３６ｃから構成され、傾斜面４３６ｂ、４３６ｃは１回折り曲げられた構造を有する。
【００４１】
  傾斜面４３６ｂ、４３６ｃは、一回折り曲げられた構造であって、底面２３６ａと連結された第１の傾斜面４３６ｂと、楔形溝の端部と連結された第２の傾斜面４３６ｃに区分される。説明の便宜のために本発明の一実施形態では、１回折り曲げられた傾斜面４３６ｂ、４３６ｃを用いて説明するが、本発明はこれに限定されなく、多数の箇所で折り曲げられた傾斜面であってもよい。
【００４２】
  第１の傾斜面４３６ｂと底面２３６ａとを成す角度θ１は、第２の傾斜面４３６ｃの延長面と底面２３６ａとを成す角度θ２より小さいことが好ましい。また、第１の傾斜面４３６ｂと底面２３６ａとを成す角度θ１及び第２の傾斜面４３６ｃの延長面と底面２３６ａとを成す角度θ２は８０°〜８９°の範囲内にあることが好ましい。
【００４３】
  傾斜面４３６ｂ、４３６ｃが底面２３６ａと成す角度は殆ど垂直に近いほど溝の深さが大きくなって外部環境光３２０を効果的に吸収できる。但し、楔形ブラックストライプ４３６を製造するためのデザインルールなので、前述したように１回以上折り曲げられた傾斜面を有した楔形ブラックストライプ４３６を形成できる。また、楔形ブラックストライプ２３６、４３６の場合、溝の端部が尖って形成されているが、デザインルールによって楔形ブラックストライプ２３６、４３６の溝端部の先端部分は丸い構造を有することもできる。
【００４４】
  以下、説明の便宜のために楔形ブラックストライプ２３６を用いてＰＤＰフィルター及びＰＤＰ装置を説明する。
【００４５】
  図２及び図３を参照すれば、前述したように、楔形ブラックストライプ２３６は、基盤２３４の外部に露出された底面２３６ａと底面２３６ａから基盤２３４内に楔形溝を成す傾斜面２３６ｂを含み、底面２３６ａはパネルアセンブリーから放出される入射光３１６を吸収する役割を果たし、傾斜面２３６ｂは、
パネルアセンブリーから放出される入射光３１４
外部環境光３２０
【００４６】
  先ず、楔形ブラックストライプ２３６の底面２３６ａが担う役割を調べれば、パネルアセンブリーの放電セルから放出される入射光３１０は、外光遮蔽層２３０について殆ど垂直方向に入射され、一部の入射光３１６は楔形ブラックストライプ２３６の底面２３６ａに吸収される。
【００４７】
  一般に、ＰＤＰ装置は、可視光線についての高い透過率と高い明暗対比比を有することが好ましい。ここで、明暗対比比は次の式１のように示すことができる。
【００４８】
 
 明暗対比比＝（白色光の輝度＋反射光の輝度）／（黒色光の輝度＋反射光の輝度）
【００４９】
  ＰＤＰ装置の透過率を高めるため、パネルアセンブリーから放出される光をＰＤＰフィルターで濾過なしに通過させる場合、白色光の輝度だけではなく、黒色光の輝度も高まれる。したがって、ＰＤＰ装置の輝度を高める場合、全体的な明暗対比比は相対的に低くなる。従来技術によるＰＤＰ装置の場合、黒色色素を含む色補正フィルムを含むＰＤＰフィルターを使用してＰＤＰフィルターの透過率をある程度低める代わりに明暗対比比を高める方法を取っている。このような従来技術によるＰＤＰ装置の場合、１２０：１程度の明暗対比比を得るために可視光線についての透過率を４０％程度に低めなければならなかった。本発明のＰＤＰフィルター２００は、黒色色素を含む色補正フィルムを使用する代わりに光を吸収する楔形ブラックストライプ２３６を使用し、ここで、楔形ブラックストライプ２３６の底面２３６ａは、入射光３１０を一部吸収してパネルアセンブリーの可視光線についての透過量を調節することによって、ＰＤＰ装置の明暗対比比を高める役割を果たす。基盤２３４の一面について楔形ブラックストライプ２３６の底面２３６ａが占める面積比率（＝Ａ２／（Ａ１＋Ａ２））が２０％〜５０％であるとき、最小の透過量損失に最大の明暗対比比を得ることができる。より好ましくは、基盤２３４の一面について楔形ブラックストライプ２３６の底面２３６ａが占める面積比率（＝Ａ２／（Ａ１＋Ａ２））が２５％〜３５％であるとき、より良い効果を得ることができる。このような外光遮蔽層２３０を含むＰＤＰフィルター２００を使用したＰＤＰ装置の場合可視光線についての透過率を５０％以上に維持した状態で２５０：１以上の明暗対比比を得ることができる。
【００５０】
  一方、外光遮蔽層２３０は、それ自体が可視光線波長帯で７０％以上の透過率を有する。パネルアセンブリーからの入射光３１０は、外光遮蔽層２３０について殆ど垂直方向に入射され、一部の入射光３１６は、前述したように底面２３６ａに吸収され、一部の入射光３１２は、基盤２３４を通過して直ちに透過する。そして、一部の入射光３１４は楔形ブラックストライプ２３６の傾斜面２３６ｂで全反射されて視聴者側に向いて、ＰＤＰ装置の透過率を高める要因になる。
【００５１】
  全反射は、光が光学的に密の媒質（屈折率が大きい物質）から疎の媒質（屈折率が小さい物質）に入射するとき、入射角がいずれか特定角度（臨界角）以上であれば、その境界面で光が全部反射されることをいう。したがって、楔形ブラックストライプ２３６は、光を吸収する物質から構成されるが、基盤２３４より屈折率が低い楔形ブラックストライプ２３６を使用して入射光３１０を全反射させることによってＰＤＰ装置の光透過率を高めることができる。
【００５２】
  本発明の一実施形態において、基盤２３４と楔形ブラックストライプ２３６の屈折率の差異は、０．０５以下であることが好ましい。例えば、基盤２３４の屈折率が１．５６であり、楔形ブラックストライプ２３６の屈折率が１．５５である場合、全反射が起こる臨界角は、約８３．５１°（＝ａｒｃｓｉｎ（１．５５／１．５６））であり、基盤２３４の屈折率が１．５６であり、楔形ブラックストライプ２３６の屈折率が１．５１である場合、臨界角は約７５．４５°（＝ａｒｃｓｉｎ（１．５１／１．５６））である。したがって、入射光３１４は、傾斜面２３６ｂについての入射角αが約７５．４５°以上である場合、入射光３１４は傾斜面２３６ｂで全反射されて視聴者側に向いてＰＤＰフィルター２００の透過率を高める。
【００５３】
  また、基盤２３４と楔形ブラックストライプ２３６の屈折率の差異が０．０５より大きければ、全反射が起こる臨界角が小さくなり、外部環境光３２０も傾斜面２３６ｂで全反射されてパネルアセンブリーに流入されるので明暗対比比が低まれることができる。すなわち、図３に示すように、蛍光灯、日光などのような外部環境光３２０の光源は一般にＰＤＰ装置より上方になる。したがって、外部環境光３２０の傾斜面２３６ｂについての入射角βは９０°より相当に小さい値を有する。
【００５４】
  基盤２３４と楔形ブラックストライプ２３６の屈折率の差異が０．０５より大きくなれば、臨界角が小さくなり、したがって小さい入射角βを有する外部環境光３２０が楔形ブラックストライプ２３６に吸収されず全反射されてパネルアセンブリーに流入される確率が高くなる。式（１）によれば、明暗対比比は反射光の輝度についての関数であるが、反射光とは、外部環境光３２０がパネルアセンブリーに流入された後反射された光を含む。したがって、外部環境光３２０が楔形ブラックストライプ２３６に吸収されず全反射されてパネルアセンブリーに流入されて反射が起こる場合反射光の輝度が増加され、黒色光と白色光について同一な反射光が生成されても分母に位置する‘反射光の輝度’によって明暗対比比は急激に低くなる。
【００５５】
  本発明の一実施形態によるＰＤＰフィルター２００がＰＤＰ装置に装着される場合、楔形ブラックストライプ２３６の配列方向と関係なく前述した楔形ブラックストライプ２３６の形状によって高い透過率を得ると同時に高い明暗対比比を得ることができる。ひいて、前述したように、蛍光灯、日光などのような外部環境光３２０の光源は一般にＰＤＰ装置より上側に位置するので、外部環境光３２０を吸収する楔形ブラックストライプ２３６は、図５に示すように、視聴者について左右横方向に配列されることによって、より効率的に外部環境光３２０を吸収できる。図５は、図３の外光遮蔽層を示す斜視図である。」
　
（２）「【００９３】
  以下、図６Ａ及び図６Ｂを参照して、パネルアセンブリー６００とＰＤＰフィルター２００の関係を説明する。
【００９４】
  図６Ａ及び図６Ｂに示すように、ＰＤＰフィルター２００は、パネルアセンブリー６００の前面基板６１０の上面（図６Ａ、Ｂでは右側）に配置される。
ＰＤＰフィルター２００は、
パネルアセンブリー６００の前面基板６１０と離隔されて配置されても良く、
【００９５】
  ＰＤＰフィルター２００には、外部環境光がパネルアセンブリー６００内に流入されることを防止するため外光遮蔽層２３０が形成されている。外部環境光は、主に外光遮蔽層２３０によって吸収されるので、外部環境光が前面基板６１０を通過して再反射されることを防止できる。したがって、明室条件でＰＤＰ装置の明暗対比比を向上させることが可能である。
【００９６】
  また、楔形ブラックストライプ２３６の傾斜面２３６ｂ（図３参照）で起こる全反射を用いて放電セル６６０から発生した可視光線を集束させて外部に射出させることによって、光の損失減らすことができ、その結果ＰＤＰ装置の輝度を向上させることが可能である。
【００９７】
  図６Ｂに示すように、楔形ブラックストライプ２３６のピッチＰ２は、パネル一つの放電セル６６０に多数の楔形ブラックストライプ２３６を配置することによって、入射光を均一に分散させることができ、効率的に外部環境光を吸収できる。
【００９８】
  パネルアセンブリー６００の放電セル６６０が形成された周期的パターンと外光遮蔽層２３０の楔形ブラックストライプ２３６が形成された周期的パターンによってモアレ縞（Ｍｏｉｒｅ  ｆｒｉｎｇｅ）が発生できる。モアレ縞とは、二つ以上の周期的なパターンが重ねるとき作られる干渉縞を示す。こうしたモアレ縞を防止するために楔形ブラックストライプ２３６のピッチＰ２は７０μｍ〜１１０μｍであることが好ましい。
  また、楔形ブラックストライプ２３６のピッチＰ２は、放電セル６６０のピッチＰ１より狭いことが好ましい。」
　
（３）「【００９９】
  以下、図７Ａ及び図７Ｂを参照して本発明の他の実施形態に係るＰＤＰフィルターについて説明する。図７Ａは、本発明の他の実施形態に係るＰＤＰフィルターを示す断面図である。図７Ｂは図７ＡのＰＤＰフィルターを使用したＰＤＰ装置を示した断面図である。説明の便宜上、図１〜図６Ｂで説明した実施形態の各部材と同一機能を有する部材は同一符号に示し、その説明は省略する。
  図７Ａ及び図７Ｂに示すように、本実施形態に係るＰＤＰフィルターは、上記した実施形態に係るＰＤＰフィルターと次の構成を除いて基本的に同一な構造を有する。
【０１００】
  すなわち、図７Ａに示すように、
ＰＤＰフィルター７００は、モアレ縞及びニュートンリングを防止するための拡散層７１０を含む
外光遮蔽層２３０の楔形ブラックストライプ２３６
のような周期的なパターンがパネルアセンブリー６００の前面基板６１０
に反射される場合、原パターンと反射光によるパターンとの間の相互干渉によってモアレ現象が発生したりＰＤＰフィルター７００とこれと結合されるパネルアセンブリー６００の前面基板６１０との間の離隔距離が不均一であったりする場合、ニュートンリング現象が発生する
こうした反射光によるパターンを拡散させることによって、原パターンと反射光によるパターンの干渉現象が発生しなくてモアレ現象及びニュートンリング現象を防止でき
拡散層７１０は、
ＰＤＰフィルター７００内の任意の位置に配置でき
【０１０１】
  拡散層７１０は、アンチグレア処理された表面を有するフィルムから構成される。ここで、アンチグレア処理は、例えば、サンドブラスティング又はエンボッシングによる粗面化処理方法（ｒｏｕｇｈ  ｓｕｒｆａｃｉｎｇ  ｔｒｅａｔｍｅｎｔ  ｍｅｔｈｏｄ）及び透明微粒子配合方法のような方法を用いてフィルムの表面に微細な凸凹構造を形成する工程である。こうした透明微粒子として、例えば、シリカ、アルミナ、チタニア、ジルコニア、真鍮酸化物、インジウム酸化物、カドミウム酸化物、アンチモン酸化物などを含む伝導性を有することができる無機型微粒子及び架橋結合（ｃｒｏｓｓ−ｌｉｎｋｅｄ）又は非架橋結合重合体を含む有機型微粒子のように、平均粒子直径が０．１μｍ〜５０μｍである透明微粒子が使用できる。」
　
（４）「【産業上の利用可能性】
【０１０９】
  本発明で使用される
ディスプレイ装置
ＰＤＰ装置
　
（５）上記（１）ないし（４）から、引用例には次の発明が記載されているものと認められる。
「ガス放電現象が起こる放電セルを含むパネルアセンブリーと、該パネルアセンブリーの前面部に装着され、電磁波及び近赤外線を遮蔽すると同時に反射光を減少させ、色純度を向上させるため電磁波遮蔽、近赤外線遮蔽、光表面反射防止、色純度改善などの機能を有し、透明性も同時に満足しなければならないＰＤＰフィルターと、から構成されるＰＤＰ装置であるディスプレイ装置において、
　従来は、外部が明るい明室条件では、外部環境光がＰＤＰフィルターを通過してパネルアセンブリー内に流入できる場合、パネルアセンブリー内の放電セルから放出される入射光と外部からＰＤＰフィルターを通過して流入された外部環境光の重畳が発生する結果、明室条件でコントラストが低下されてＰＤＰ装置の画面表示能力が劣悪になるといった問題があったので、
　ＰＤＰフィルターの構造を改善して輝度及び明室条件でのコントラストを向上させることができるＰＤＰ装置用フィルターを含むＰＤＰ装置を提供することを技術的課題として、
　前記ＰＤＰフィルターが、
　フィルターベースと、
　支持体、該支持体の一面に形成された透明樹脂材質の基盤（ｍａｔｒｉｘ）及び該基盤内に形成されて外部からパネルアセンブリーへ流入される外部環境光を遮断する多数の楔形ブラックストライプを備える外光遮蔽層と、
　を含み、
　前記ＰＤＰフィルターに形成した楔形ブラックストライプの傾斜面での全反射を用いて各放電セルから発生した可視光線を集束して射出させることによって光の透過率を高め、その結果ＰＤＰ装置の輝度を向上させ、
　前記楔形ブラックストライプを光吸収物質を使用して形成することによって、外部環境光がパネルアセンブリーの内部に流入されることを防止し、明室条件でＰＤＰ装置の明暗対比比を向上させた、
　ディスプレイ装置であって、
　前記フィルターベースは、透明基板、電磁波遮蔽層及び反射防止層が順序に関係なく積層されて形成されており、
　前記外光遮蔽層は、前記支持体に前記基盤を形成した後前記フィルターベースと結合して前記フィルターベースの一面に形成し、前記フィルターベースの前記パネルアセンブリー側の面、すなわちＰＤＰフィルターがＰＤＰ装置に装着されたときに視聴者側と反対側面に配置され、
　前記支持体は、透明な樹脂フィルムが好ましく、その材質としては、例えば、ポリエチレンテレフタレート（ＰｏｌｙＥｔｈｙｌｅｎｅ  Ｔｅｒｅｐｈｔｈａｌａｔｅ；ＰＥＴ）が使用でき、勿論、支持体の代わりにフィルターの固有機能を有した膜を使用でき、
　前記楔形ブラックストライプは、断面が楔形状であり、前記パネルアセンブリーに対向する前記基盤の一面に並列に形成され、前記基盤の外部に露出された底面と該底面から前記基盤内に楔形溝を成す傾斜面とを含み、該傾斜面は前記外部環境光を吸収するか、或いは前記入射光を視聴者側に全反射する役割を果たし、前記底面がパネルアセンブリー方向に向く場合、平均的に外部環境光より前記入射光の前記傾斜面についての入射角がさらに大きいので、前記入射光は、前記傾斜面で全反射されて透過率を高め、外部環境光は前記傾斜面に吸収されて明暗対比比を高めるため、より向上した画面特性を有するＰＤＰ装置を得ることができ、
　前記光吸収物質は、光を吸収できる黒色無機物、黒色有機物及び黒色金属のうち少なくとも１つから形成でき、
　前記ＰＤＰフィルターは、前記パネルアセンブリーの前面基板と離隔されて配置されており、前記外光遮蔽層の前記楔形ブラックストライプのような周期的なパターンが前記パネルアセンブリーの前記前面基板に反射される場合原パターンと反射光によるパターンとの間の相互干渉によってモアレ現象が発生したり、前記ＰＤＰフィルターとこれと結合される前記パネルアセンブリーの前記前面基板との間の離隔距離が不均一であったりする場合、ニュートンリング現象が発生するので、このようなモアレ縞及びニュートンリングを防止するための拡散層をさらに含み、該拡散層を前記ＰＤＰフィルター内の任意の位置に配置して、こうした反射光によるパターンを拡散させることによって、原パターンと反射光によるパターンの干渉現象が発生しなくてモアレ現象及びニュートンリング現象を防止できるようにした、
　ディスプレイ装置。」（以下「引用発明」という。）
　
４　対比
　本願補正発明と引用発明とを対比する。
（１）引用発明において、外光遮蔽層は、支持体、該支持体の一面に形成された透明樹脂材質の基盤（ｍａｔｒｉｘ）及び該基盤内に形成されて外部からパネルアセンブリーへ流入される外部環境光を遮断する多数の楔形ブラックストライプを備えるものであり、上記透明樹脂材質の基盤（ｍａｔｒｉｘ）内には多数の楔形ブラックストライプが形成されているから、該透明樹脂材質の基盤（ｍａｔｒｉｘ）は多数のほぼ台形の部分から構成されており、各ほぼ台形の部分は楔形ブラックストライプとの境界での光の反射の働きなどからみてプリズムといえる。したがって、引用発明の「透明樹脂材質の基盤（ｍａｔｒｉｘ）のほぼ台形の部分」及び「『透明樹脂材質の基盤（ｍａｔｒｉｘ）のほぼ台形の部分』の断面」は、それぞれ、本願補正発明の「光を透過可能に形成されたプリズム部」及び「略台形断面」に相当する。
　
（２）引用発明の「ガス放電現象が起こる放電セルを含むパネルアセンブリー」、「『前面部』、『視聴者側』」、「パネルアセンブリー内の放電セルから放出される入射光」、「『支持体』、『該支持体の一面に形成された透明樹脂材質の基盤（ｍａｔｒｉｘ）』及び『該基盤内に形成されて外部からパネルアセンブリーへ流入される外部環境光を遮断する多数の楔形ブラックストライプ』を備え、『楔形ブラックストライプ』が含む『傾斜面』で、『パネルアセンブリー内の放電セルから放出される入射光』を『全反射されて透過率を高め』る『外光遮蔽層』」、「ＰＤＰフィルター」、「ディスプレイ装置」、「『光吸収物質を使用して形成することによって、外部環境光がパネルアセンブリーの内部に流入されることを防止』する『楔形ブラックストライプ』」、「パネルアセンブリーに対向する前記基盤の一面」、「透明樹脂材質の基盤（ｍａｔｒｉｘ）及び該基盤内に形成されて外部からパネルアセンブリーへ流入される外部環境光を遮断する多数の楔形ブラックストライプ」、「楔形状」、「拡散層」、「『基盤』の厚さ方向」及び「前記パネルアセンブリーの前記前面基板との間の離隔距離」は、それぞれ、本願補正発明の「プラズマディスプレイパネル」、「観察者側」、「プラズマディスプレイパネルから投射された光」、「前記プラズマディスプレイパネルから投射された光を制御して前記観察者側に出射する層」、「光学シート」、「表示装置」、「光を吸収可能に形成された光吸収部」、「シート面」、「光学機能シート層」、「略三角形」、「『光拡散機能』を有する『１つの層』」、「シート厚方向」及び「間隙」に相当する。
　
（３）引用発明の「光学シート（ＰＤＰフィルター）」は、「プラズマディスプレイパネル（パネルアセンブリー）」の「観察者側（前面部）」に装着されるから、本願補正発明の「光学シート」と、「該プラズマディスプレイパネルの観察者側に配置され」る点で一致する。
　
（４）引用発明の「表示装置（ディスプレイ装置）」は、「プラズマディスプレイパネル（ガス放電現象が起こる放電セルを含むパネルアセンブリー）」と、「前記プラズマディスプレイパネルから投射された光を制御して前記観察者側に出射する層（支持体、該支持体の一面に形成された透明樹脂材質の基盤（ｍａｔｒｉｘ）及び該基盤内に形成されて外部からパネルアセンブリーへ流入される外部環境光を遮断する多数の楔形ブラックストライプを備え、楔形ブラックストライプが含む傾斜面で、パネルアセンブリー内の放電セルから放出される入射光を全反射されて透過率を高める外光遮蔽層）」を含む「光学シート（ＰＤＰフィルター）」と、から構成されるＰＤＰ装置であるから、本願補正発明の「表示装置」と、「プラズマディスプレイパネルと、該プラズマディスプレイパネルの観察者側に配置され、前記プラズマディスプレイパネルから投射された光を制御して前記観察者側に出射する層を備える光学シートと、を備える」点で一致する。
　
（５）引用発明の「光学機能シート層」は、上記（１）及び（２）に照らせば、透明樹脂材質の基盤（ｍａｔｒｉｘ）及び該基盤内に形成されて外部からパネルアセンブリーへ流入される外部環境光を遮断する多数の楔形ブラックストライプ、すなわち多数の「光を透過可能に形成されたプリズム部（ほぼ台形の部分）」から構成されて透明樹脂材質の基盤（ｍａｔｒｉｘ）及び該基盤内に形成されて外部から「プラズマディスプレイパネル（パネルアセンブリー）」へ流入される外部環境光を遮断する多数の「光を吸収可能に形成された光吸収部（楔形ブラックストライプ）」を備えるものであって、該「光吸収部（楔形ブラックストライプ）」は「シート面（基盤の一面）」に並列に形成されているから、本願補正発明の「光学機能シート層」と、「光を透過可能に形成されたプリズム部、及び光を吸収可能に形成された光吸収部がシート面に沿って交互に並列される」点で一致する。
　そして、引用発明では、前記基盤が「プラズマディスプレイパネル（パネルアセンブリー）」に対向し、「光吸収部（楔形ブラックストライプ）」は、前記基盤の外部に露出された底面と該底面から前記基盤内に楔形溝を成す傾斜面とを含んでいるから、引用発明の「光学機能シート層」において、前記「光吸収部」は、前記「プリズム部（基盤のほぼ台形の部分）」の間に配置され、前記基盤の厚さ方向断面において底辺を前記「プラズマディスプレイパネル」側とする「略三角形断面（断面が楔形状）」を有し、前記「プリズム部（ほぼ台形の部分）」は、基盤の厚さ方向断面において前記「プラズマディスプレイパネル」側を短い上底とし、前記観察者側を長い下底とする「略台形断面（ほぼ台形の断面）」を有しているといえる。
　よって、引用発明の「光学シート（ＰＤＰフィルター）」と、本願補正発明の「光学シート」とは、「前記光学機能シート層の前記プリズム部は、シート厚方向断面において前記プラズマディスプレイパネル側を短い上底とし、前記観察者側を長い下底とする略台形断面を有し、前記光吸収部は、前記プリズム部の間に配置され、前記シート厚方向断面において底辺を前記プラズマディスプレイパネル側とする略三角形断面を有」する点で一致する。
　
（６）引用発明において、「光学シート（ＰＤＰフィルター）」は、モアレ縞及びニュートンリングを防止するための拡散層をさらに含み、該拡散層を前記「光学シート」内の任意の位置に配置しており、前記「光学機能シート層（基盤及び楔形ブラックストライプ）」は「プラズマディスプレイパネル（パネルアセンブリー）」に対向するように配置されているから、引用発明の「光学シート」と本願補正発明の「『前記光学機能シート層より前記観察者側に配置される少なくとも１つの層が、該１つの層に内包される光拡散剤を含有することにより光拡散機能を有』する『光学シート』」とは「前記光学機能シート層より前記観察者側に少なくとも１つの光拡散機能を有する層が配置される」点で一致するといえる。
　
（７）引用発明の「光学シート（ＰＤＰフィルター）」は、前記「プラズマディスプレイパネル（パネルアセンブリー）」の前面基板と離隔されて配置されているから、本願補正発明の「光学シート」と、「前記プラズマディスプレイパネルとの間には間隙が設けられている」点で一致する。
　
（８）引用発明の「光学シート（ＰＤＰフィルター）」は、フィルターベースと、支持体、透明樹脂材質の基盤（ｍａｔｒｉｘ）及び多数の楔形ブラックストライプを備える外光遮蔽層と、を含んでいるから、上記（２）に照らせば、本願補正発明の「光学シート」と、「光学機能シート層を備え」る点でも一致する。
　
（９）上記（１）ないし（８）から、本願補正発明と引用発明とは、
「プラズマディスプレイパネルと、該プラズマディスプレイパネルの観察者側に配置され、前記プラズマディスプレイパネルから投射された光を制御して前記観察者側に出射する層を備える光学シートと、を備える表示装置であって、
　前記光学シートは、
　光を透過可能に形成されたプリズム部、及び光を吸収可能に形成された光吸収部がシート面に沿って交互に並列される光学機能シート層を備え、
　前記光学機能シート層の前記プリズム部は、シート厚方向断面において前記プラズマディスプレイパネル側を短い上底とし、前記観察者側を長い下底とする略台形断面を有し、前記光吸収部は、前記プリズム部の間に配置され、前記シート厚方向断面において底辺を前記プラズマディスプレイパネル側とする略三角形断面を有し、
　前記光学機能シート層より前記観察者側に光拡散機能を有する少なくとも１つの層が配置され、
　前記プラズマディスプレイパネルと前記光学シートとの間には間隙が設けられている、表示装置。」である点で一致し、次の点で相違する。
　
相違点１：
　前記光拡散機能を有する少なくとも１つの層が、本願補正発明では「該１つの層に内包される光拡散剤を含有することにより」光拡散機能を有するのに対して、引用発明では該１つの層に内包する光拡散剤を含有していない点。
　
相違点２：
　前記光学シートのヘーズ値が、本願補正発明では「２０％以上、５８％以下」であるのに対して、引用発明では不明である点。
　
５　判断
　上記相違点１及び２について検討する。
（１）相違点１について
　ア　シリカ、ガラス、重合体などの微細な粒子を光拡散剤として基材などの層内に内包することにより光拡散機能を持たせたものは、本願の出願前に周知である（以下「周知技術１」という。例．特開平２−１２０７０２号公報（１頁右下欄１５行〜２頁左上欄６行、１頁左下欄５〜１０行、３頁左上欄４行〜同頁右下欄８行、４頁左上欄１５〜２０行、４頁右上欄９行〜同頁左下欄１０行参照。）、特開平６−３４７６１６号公報（【００５４】〜【００５８】参照。）、特開平６−３４７６１７号公報（【０００２】〜【００１８】参照。）、特開平８−３２７９５２号公報（【０００１】〜【００１２】参照。）、特開平９−３０４６０１号公報（【０００１】〜【００２９】）、特開２００１−２２８５４７号公報（【請求項１】、【請求項２】、【００５５】参照。）、特開２００２−１４８７１８号公報（【００４０】参照。）、特開２００２−２０７２５３号公報（【０００３】、【０００４】参照。）、特開２００３−４３２１５号公報（【請求項７】、【請求項８】参照。）、特開２００５−３３８４３９号公報（【０００１】〜【００２０】参照。））。
　
　イ　引用発明は、拡散層をＰＤＰフィルター内の任意の位置に配置して、反射光によるパターンを拡散させることによって、原パターンと反射光によるパターンの干渉現象が発生しなくてモアレ現象及びニュートンリング現象を防止できるようにしたものであるところ、上記アからみて、その光拡散機能を有する少なくとも１つの層を、該１つの層に、シリカ、ガラス、重合体などの微細な粒子を光拡散剤として層内に内包することにより光拡散機能を持たせた基材などの層となすこと、すなわち、引用発明において、上記相違点１に係る本願補正発明の構成となすことは、当業者が周知技術１に基づいて容易になし得た程度のことである。
　
（２）相違点２について
　ア　ヘーズ値が２０ないし５３．６％の光学シートは本願の出願前に周知である（以下「周知技術２」という。例．特開２００６−２０１５７７号公報（８頁表１のヘーズ値２０％、３０％及び４０％のもの参照。）、特開２０００−１９９８０９号公報（８頁表３の実施例２、３、７ないし９参照。））。
　
　イ　本願明細書の発明の詳細な説明には、本願補正発明の光学シートは、そのヘーズ値を２０％以上にすることにより明暗縞（モアレ縞）を解消できるとの効果が顕著に現れる旨記載されている（【００５９】）が、光学シートのヘーズ値を、２０％以上にすることに加え、さらに５８％以下にすることについて、設計上の事項を超える技術上の意義は記載されていない。
　してみると、本願補正発明の光学シートのヘーズ値の上限を５８％にした点は設計上の事項にすぎない。
　
　ウ　上記ア及びイからして、引用発明において、前記「光学シート」のヘーズ値を２０％ないし５３．６％の範囲内の値とすること、すなわち、引用発明において、上記相違点２に係る本願補正発明の構成となすことは、当業者が周知技術２に基づいて容易になし得た程度のことである。
　
（３）効果について
　本願補正発明の奏する効果は、当業者が引用発明の奏する効果、周知技術１の奏する効果及び周知技術２の奏する効果から予測することができた程度のものである。
　
（４）まとめ
　したがって、本願補正発明は、当業者が引用例に記載された発明、周知技術１及び周知技術２に基づいて容易に発明をすることができたものである。
　本願補正発明は、当業者が引用例に記載された発明、周知技術１及び周知技術２に基づいて容易に発明をすることができたものであるから、特許法第２９条第２項の規定により特許出願の際独立して特許を受けることができないものである。
　
　なお、請求人は平成２４年１１月１２日付け回答書において、本件補正後の請求項２に係る発明は、光拡散剤が基材層に内包されているので、光拡散層を新たに設ける必要がなく、全体としてシートを薄くすることができ、層の積層工程を減らすこともできるので生産性に優れる旨主張しているが、光拡散剤が基材層に内包されているものは上記（１）アのとおり本願出願前に周知であるので、本件補正後の請求項２に係る発明も本願補正発明と同様の理由により特許を受けることができないものである。
　
６　小括
　以上のとおり、本願補正発明は、特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するものである。
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　本件補正は上記第２のとおり却下されたので、本願の請求項１ないし１０に係る発明は、平成２４年２月２日付けで補正された特許請求の範囲の請求項１ないし１０に記載された事項によって特定されるものであるところ、請求項１に係る発明（以下「本願発明」という。）は、平成２４年２月２日付けで補正された明細書、特許請求の範囲及び図面の記載からみて、上記「第２〔理由〕１（１）」に本件補正前の請求項１として記載したとおりのものと認める。
　
２　引用例
　原査定の拒絶の理由に引用された引用例及びそれらの記載事項は、上記「第２〔理由〕３」に記載したとおりである。
　
３　対比・判断
　本願補正発明は、上記「第２〔理由〕１（２）」のとおり、本願発明の発明特定事項を限定するものである。
　そうすると、本願発明の構成要件をすべて含み、さらに限定を付加したものに相当する本願補正発明が、上記「第２〔理由〕５」に記載したとおり、当業者が引用例に記載された発明、周知技術１及び周知技術２に基づいて容易に発明をすることができたものであるから、本願発明も同様の理由により、当業者が引用例に記載された発明、周知技術１及び周知技術２に基づいて容易に発明をすることができたものである。
　
４　むすび
　本願発明は、以上のとおり、当業者が引用例に記載された発明、周知技術１及び周知技術２に基づいて容易に発明をすることができたものであるから、特許法第２９条第２項の規定により特許を受けることができない。
　よって、結論のとおり審決する。